【手続補正書】
【提出日】平成18年9月26日(2006.9.26)
【手続補正１】
【補正対象書類名】特許請求の範囲
【補正対象項目名】全文
【補正方法】変更
【補正の内容】
【特許請求の範囲】
【請求項１】
患者生体データを収集できる複数の生体センサと、
パーソナルコンピュータに接続できるインターフェースと、
前記インターフェースを介して前記生体データを前記パーソナルコンピュータに送信できる拡張モジュールと
を備える、拡張可能な遠隔医療監視装置。
【請求項２】
前記患者生体データを蓄積するデータストアをさらに備える、請求項１に記載の装置。
【請求項３】
データ収集プロセス中にユーザを誘導する指示ダイアログを生成できるデータ収集モジュールと、
前記指示ダイアログをユーザに伝達するユーザインターフェースと
をさらに備える、請求項１に記載の装置。
【請求項４】
生体センサの種類に関するユーザの選択に応じて、データ収集プロセス中にユーザを誘導する指示ダイアログを生成できるデータ収集モジュールと、
前記データ収集モジュールに前記ユーザの選択を伝達するユーザインターフェースと
をさらに備える、請求項１に記載の装置。
【請求項５】
通信ネットワークを経て前記患者生体データを送信できるアウトプットを更に備える、請求項１に記載の装置。
【請求項６】
ノーマルオペレーションにおいて通信ネットワークを経て生体データを送信するデータ収集モジュールをさらに備え、
前記拡張モジュールは、前記インターフェースを常時監視し、前記インターフェースを介した前記パーソナルコンピュータの接続を検出し、前記インターフェースを介した前記パーソナルコンピュータの接続を検出すると前記データ収集モジュールにノーマルオペレーションを停止させることができる、請求項１に記載の装置。
【請求項７】
ノーマルオペレーションにおいてデータ収集プロセス中にユーザを誘導する指示ダイアログを生成できるデータ収集モジュールをさらに備え、
前記拡張モジュールは、前記インターフェースを常時監視し、前記インターフェースを介した前記パーソナルコンピュータの接続を検出し、前記インターフェースを介した前記パーソナルコンピュータの接続を検出すると前記データ収集モジュールにノーマルオペレーションを停止させることができる、請求項１に記載の装置。
【請求項８】
通信ネットワークを経て生体データを送信するデータ収集モジュールと、
センサ読込値に代えてユーザが数値データを入力できるインプット機構を有するユーザインターフェースと
をさらに備える、請求項１に記載の装置。
【請求項９】
通信ネットワークに接続され、前記通信ネットワークを経て患者生体データを受信し、前記患者生体データを蓄積し、かつ前記通信ネットワークを経て前記患者生体データを臨床医に送信できる取得サーバと、
前記通信ネットワークに接続可能であり、前記患者生体データを取得でき、前記通信ネットワークを経て前記患者生体データを前記取得サーバ送信でき、かつ前記通信ネットワークに接続されたパーソナルコンピュータに接続できると共に前記患者生体データを前記パーソナルコンピュータに送信できるインターフェースを備える、拡張可能な遠隔医療監視装置と、
前記遠隔医療監視装置を介した生体データの取得のためのパーソナルコンピュータの使用を含む生体データ収集プロセス中にユーザを誘導し、かつ前記パーソナルコンピュータから前記取得サーバへの前記生体データの送信に影響を及ぼすエキスパートシステムと
を備える、拡張可能な遠隔医療監視システム。
【請求項１０】
前記遠隔医療監視装置は、ノーマルオペレーションにおいてのみ前記通信ネットワークを経て前記患者生体データを前記取得サーバへ送信可能であり、かつ前記インターフェースを介した前記パーソナルコンピュータへの接続を検出するとノーマルオペレーションを停止させることができる、請求項９に記載のシステム。
【請求項１１】
前記遠隔医療監視装置は、ノーマルオペレーションにおいてのみ前記遠隔医療監視装置を介した患者データ収集プロセス中にユーザを誘導でき、かつ前記インターフェースを介した前記パーソナルコンピュータへの接続を検出するとノーマルオペレーションを停止させることができる、請求項９に記載のシステム。
【請求項１２】
前記エキスパートシステムは、デジタルオーディオデータに対応する前記患者生体データの収集を含むことができ、前記通信ネットワークを経た前記取得サーバへの前記デジタルオーディオデータの送信に影響を及ぼすことができる、請求項９に記載のシステム。
【請求項１３】
前記取得サーバは、前記通信ネットワークを経た前記臨床医と前記パーソナルコンピュータとの間の遠隔会議機能をサポートしている、請求項９に記載のシステム。
【請求項１４】
前記パーソナルコンピュータと臨床医のコンピュータはビデオ会議装置を備え、それによって臨床医とユーザの間での相互通信を提供できる、請求項９に記載のシステム。
【請求項１５】
前記エキスパートシステムはウェブ閲覧機能を介してオンラインで提供されると共に前記ユーザに質問事項を提供し、前記遠隔医療監視装置はウェブ閲覧機能を有する、請求項９に記載のシステム。
【請求項１６】
前記エキスパートシステムはインストール可能なソフトウェアとして前記パーソナルコンピュータに提供され、かつ前記パーソナルコンピュータを介して前記ユーザに質問事項を提供できる、請求項９に記載のシステム。
【請求項１７】
パーソナルコンピュータに対する接続が確立されているかを判断し、
患者生体データを取得し、
前記接続が確立されていれば、前記患者生体データを前記パーソナルコンピュータに送信し、
前記接続が確立されていなければ、通信ネットワークを経て前記患者生体データを取得サーバへ送信する、
拡張可能な遠隔医療監視装置の動作方法。
【請求項１８】
前記接続が確立されていなければ、データ収集プロセス中にユーザを誘導する、請求項１７に記載の動作方法。
【請求項１９】
パーソナルコンピュータへ接続できるインターフェースを常時監視する、請求項１７に記載の動作方法。
【請求項２０】
前記患者生体データをデータストアに蓄積する、請求項１７に記載の動作方法。
【請求項２１】
センサ読込値に代えてユーザによる数値の入力を受け付ける、請求項１７に記載の動作方法。
【請求項２２】
通信ネットワークを介して患者の健康を監視する方法であって、
患者生体データを取得でき、前記通信ネットワークを経て前記患者生体データを送信でき、パーソナルコンピュータとインターフェースを取ることができる、拡張可能な装置を設け、
前記パーソナルコンピュータとインターフェースを取った前記装置を使用したデータ収集プロセス中に前記装置のユーザを誘導でき、かつ前記パーソナルコンピュータによる前記通信ネットワークを経た患者生体データの通信に影響を及ぼすことができるエキスパートシステムを設け、
前記通信ネットワークを経て前記患者生体データを受信し、
前記通信ネットワークを経て前記患者生体データを臨床医に送信する、患者の健康を監視する方法。
【請求項２３】
受信した患者生体データ蓄積する、請求項２２に記載の方法。
【請求項２４】
前記臨床医と前記パーソナルコンピュータとの間の遠隔会議サービスを提供する、請求項２２に記載の方法。
【請求項２５】
前記臨床医と前記パーソナルコンピュータとの間の遠隔会議サービスの提供は、前記パーソナルコンピュータと臨床医のコンピュータにモデムで接続された電話線によるビデオ会議サービスの提供を含み、前記パーソナルコンピュータと前記臨床医のコンピュータはビデオ会議機能をサポートしている遠隔会議ソフトウェアとオーディオビジュアル装置を備える、請求項２４に記載の方法。
【請求項２６】
通信ネットワークを介して患者の健康を監視する方法であって、
臨床医コンピュータにより患者生体データを取得し、
回答済みの質問事項を前記臨床医コンピュータ上で評価し、
前記臨床医コンピュータにより患者と遠隔会議を行う、患者の健康を監視する方法。
【請求項２７】
前記回答済みの質問事項の取得は、
前記臨床医コンピュータによりインターネットを閲覧し、
前記患者生体データを蓄積しているウェブサイトにアクセスし、
インターネットを経て前記ウェブサイトから前記生体データをダウンロードする、請求項２６に記載の方法。
【請求項２８】
前記遠隔会議は、前記臨床医コンピュータと前記患者のパーソナルコンピュータにモデムで接続された電話線による患者とのビデオ会議を含む、請求項２６に記載の方法。
【請求項２９】
パーソナルコンピュータとインターフェースを取ることができる遠隔医療装置の拡張機能について使用するための前記パーソナルコンピュータの動作方法であって、
周辺機器と接続可能なインターフェースを監視し、
前記遠隔医療装置との前記インターフェースによる接続を検出し、前記遠隔医療装置は複数のデジタル生体センサを有し、
前記遠隔医療装置との接続検出に対応して患者生体データを取得するためのプログラムを起動し、
生体データを取得するための前記遠隔医療装置のセンサの使用を含む前記プログラムによるデータ収集プロセス中にユーザを誘導し、
前記遠隔医療装置から患者生体データを受信し、かつ
前記生体データを通信ネットワークを経て送信する、パーソナルコンピュータの動作方法。
【請求項３０】
波形で患者生体データを収集するための前記遠隔医療装置に設けられていないオーディオセンサの使用を含む前記プログラムによるオーディオデータの収集プロセス中にユーザを誘導し、かつ
前記オーディオセンサからオーディオデータを受信し、それによって波形の患者生体データを収集する、請求項２９に記載の動作方法。